(57)【要約】      （修正有）【課題】電線工事等の高所作業においての危険を防止するために、フックとＤ環との掛止を人間の目のみならず、掛止していることを確実に確認することができる取付確認センサを提供することを目的とする。【解決手段】人体の回りに巻装するベルトと、前記ベルトに掛止可能に配設されて柱を巻装可能な綱と、前記ベルトに装着されたリングと、前記綱の先端に装着された鉤部であって前記リングに引っ掛けられるＵ字部を有する鉤部１３２と前記リングを前記Ｕ字部に掛止するために前記Ｕ字部の一端を開閉可能なリング抜け止部とで構成されたフック１３０と、を有する安全帯に用いる取付確認センサ１であって、前記リングに前記フックを掛止する際に前記鉤部と前記リング抜け止部との間に物が挟まっていないかを検出する光学的検出手段、を備える。【選択図】      図１
2007044166.tif 000002
【特許請求の範囲】
【請求項１】
人体の回りに巻装するベルトと、
前記ベルトに掛止可能に配設されて柱を巻装可能な綱と、
前記ベルトに装着されたリングと、
前記綱の先端に装着された鉤部であって前記リングに引っ掛けられるＵ字部を有する鉤部と前記リングを前記Ｕ字部に掛止するために前記Ｕ字部の一端を開閉可能なリング抜け止部とで構成されたフックと、
を有する安全帯に用いる取付確認センサであって、
前記リングに前記フックを掛止する際に前記鉤部と前記リング抜け止部との間に物が挟まっていないかを検出する光学的検出手段、
を備えることを特徴とする取付確認センサ。
【請求項２】
請求項１に記載の取付確認センサであって、
光学的検出手段は前記鉤部に端部を有する第１の光ファイバと前記リング抜け止部に端部を有する第２の光ファイバとを有し、前記Ｕ字部が閉じられている場合は、前記第１の光ファイバと第２の光ファイバとの間で光の伝送が可能なように配置されたことを特徴とする取付確認センサ。
【請求項３】
請求項１に記載の取付確認センサであって、
光学的検出手段は、前記鉤部に設けられた反射手段と、前記リング抜け止部に設けた発光受光手段とを有することを特徴とする取付確認センサ。
【請求項４】
請求項１から請求項３のいずれかに記載の取付確認センサであって、
前記光学的検出手段は、前記Ｕ字部の両端が閉じたことを検出すると安全帯の使用者に報知する報知手段を備えることを特徴とする取付確認センサ。
【請求項５】
請求項１から請求項４のいずれかに記載の取付確認センサであって、
前記取付確認センサを駆動する電源と前記リング抜け止部に連動する電源スイッチとを有し、
前記電源スイッチは、安全帯の使用者が前記リング抜け止部を操作して前記Ｕ字部の一端を開放させる開操作をすると、投入され、前記開操作をしてから一定時間後に開放されることを特徴とする取付確認センサ。
【請求項６】
人体の回りに巻装するベルトと、前記ベルトに掛止可能に配設されて柱を巻装可能な綱と、
前記ベルトに装着されたリングと、前記綱の先端に装着された鉤部と、開閉可能なリング抜け止部と、で構成されたフックと、を有する安全帯に用いる取付確認センサであって、
前記リングに電流を還流させる電流還流手段と、
前記フックを掛止する際に前記電流が前記鉤部と前記リング抜け止部とにより閉鎖されたフックの内側に流れていることを検出する掛止検出手段と、
を備える取付確認センサ。
【請求項７】
人体の回りに巻装するベルトと、
前記ベルトに掛止可能に配設されて柱を巻装可能な綱と、
前記ベルトに装着されたリングと、
前記綱の先端に装着された鉤部であって前記リングに引っ掛けられるＵ字部を有する鉤部と前記リングを前記Ｕ字部に掛止するために前記Ｕ字部の一端を開閉可能なリング抜け止部とで構成されたフックと、
を有する安全帯であって、
請求項１から６のいずれかに記載の取付確認センサを備えることを特徴とする安全帯。
【請求項８】
人体の回りに巻装するベルトと、
前記ベルトに掛止可能に配設されて柱を巻装可能な綱と、
前記ベルトに装着されたリングと、
前記綱の先端に装着された鉤部であって前記リングに引っ掛けられるＵ字部を有する鉤部と前記リングを前記Ｕ字部に掛止するために前記Ｕ字部の一端を開閉可能なリング抜け止部とで構成されたフックと、
を有する安全帯に用いる着脱可能な取付確認センサであって、
前記リングに前記フックを掛止する際に前記鉤部と前記リング抜け止部との間に物が挟まっていないかを検出する光学的検出手段、
を備えることを特徴とする着脱可能な取付確認センサ。
【請求項９】
請求項８に記載の着脱可能な取付確認センサであって、
光学的検出手段は前記鉤部に端部を有する第１の光ファイバと前記リング抜け止部に端部を有する第２の光ファイバとを有し、前記Ｕ字部が閉じられている場合は、前記第１の光ファイバと第２の光ファイバとの間で光の伝送が可能なように配置されたことを特徴とする着脱可能な取付確認センサ。
【請求項１０】
請求項９に記載の着脱可能な取付確認センサであって、
前記第１の光ファイバまたは第２の光ファイバには、少なくとも一箇所以上の前記第１の光ファイバまたは第２の光ファイバ外に光を漏らす光漏洩手段を有することを特徴とする着脱可能な取付確認センサ。
【発明の詳細な説明】
【技術分野】
【０００１】
本発明は、電線工事等の高所作業において、作業者と電柱とを繋止する命綱の取付確認センサに関するものである。
【背景技術】
【０００２】
電線工事等の高所作業においては、作業者の胴部に巻付けた胴当てベルトに一端を掛着した一本の胴綱を、電柱に回し掛けしながら電柱を昇っていき、高所において電柱に回し掛けた胴綱の他端の胴当てベルトの他方に係止した後、作業者と電柱とを繋止状態にして両手を自由にして所定の電気工事作業を行っていた。
【０００３】
胴綱を他端の胴当てベルトの他方に係止する場合は、胴綱などの先端にあるフックを、胴当てベルトに取り付けられたＤ環と呼ばれるＤ字状の金属製の輪に咬み込ませていた。
【０００４】
しかし、作業者の注意不足によりフック先端部に、作業者自身が被覆している衣服を挟む等して、フックの取り付けが不完全であるのに、フックが係止していると誤認する場合がある。このような状態で作業を開始すると、フックとＤ環との掛止がはずれ、作業者が高所から落下して致死傷に至ることがある。
【０００５】
電線工事等の高所作業においての危険を防止するために、補助胴綱を電柱に回し掛けして係止する際に、目で確認して確実に係止でき、しかも漏電・活線や高圧電圧の検出が可能な安全帯を提供することに関する技術が紹介されている（参照特許文献１）。しかし、フック部に高圧部分の接近警告用として検電機能を持たせているが、フック部自体の取付確認については従来技術とおりである。
【特許文献１】特開２００３−７０９２５号公報
【発明の開示】
【発明が解決しようとする課題】
【０００６】
本発明は、電線工事等の高所作業においての危険を防止するために、フックとＤ環との掛止を人間の目のみならず、掛止していることを確実に確認することができる取付確認センサを提供することを目的とする。
【課題を解決するための手段】
【０００７】
上記の課題を解決するため、発明者はフックに衣服等が挟まっている場合は、フックの開口部近傍に光センサを設けた場合にその衣服により光の通路が遮られることに着目して以下の発明をした。
【０００８】
（１）人体の回りに巻装するベルトと、前記ベルトに掛止可能に配設されて柱を巻装可能な綱と、前記ベルトに装着されたリングと、前記綱の先端に装着された鉤部であって前記リングに引っ掛けられるＵ字部を有する鉤部と前記リングを前記Ｕ字部に掛止するために前記Ｕ字部の一端を開閉可能なリング抜け止部とで構成されたフックと、を有する安全帯に用いる取付確認センサであって、前記リングに前記フックを掛止する際に前記鉤部と前記リング抜け止部との間に物が挟まっていないかを検出する光学的検出手段、を備えることを特徴とする取付確認センサ。
【０００９】
（１）に記載の発明による取付確認センサを用いることにより、以下の効果を有する。
高所作業を行う場合に使われる安全帯に、本発明の取付確認センサを用いると、ベルトに装着されたリングにフックを掛止する際に、鉤部とリング抜け止部との間に物が挟まっていないかを検出する光学的検出手段を有するので、安全性を増すことができる。特に、電力関係では、停電は大きな社会的影響があるので、雨が降っている夜間などの悪条件の中でも復旧作業を行わなければならない。その際に、鉤部とリング抜け止部との間に物が挟まっていると光が遮られるので検出が確実にしやすい。光による検出では電磁界の影響を受けにくいからである。光学的検出をすることにより衣服等が挟まれていることに気がつけば、転落事故などの致命的な事故を防ぐことができる。
【００１０】
（２）（１）に記載の取付確認センサであって、光学的検出手段は前記鉤部に端部を有する第１の光ファイバと前記リング抜け止部に端部を有する第２の光ファイバとを有し、前記Ｕ字部が閉じられている場合は、前記第１の光ファイバと第２の光ファイバとの間で光の伝送が可能なように配置されたことを特徴とする取付確認センサ。
【００１１】
（２）に記載の発明による取付確認センサは、光学的検出手段に光ファイバを使用し、鉤部に端部を有する第１の光ファイバとリング抜け止部に端部を有する第２の光ファイバとを有し、前記Ｕ字部が閉じられている場合は光を第１の光ファイバと第２の光ファイバとの間で伝送可能なように配置されている。鉤部とリング抜け止部に端部を有するので、鉤部とリング抜け止部との間に物が挟まっていると光の伝送が遮られる。光の伝送が遮られることにより、フックとリングの掛止が確実でないことが検出される。
【００１２】
ここで、光ファイバとは、屈折率の高いコア部と、屈折率の低いクラッド部からなる光通信のために開発された線であり、透明度の高いガラスで製作されたもの、プラスチックで製作したものがある。本発明では、鉤部とリング抜け止部の端部において、リング抜け止部が閉じられている場合は光をお互いに伝送可能なようにするために、コア部の径が大きいものが望ましい。もっとも、端部に受光入射角を広くした光結合器を使用することもできる。
【００１３】
（３）（１）に記載の取付確認センサであって、光学的検出手段は、前記鉤部に設けられた反射手段と、前記リング抜け止部に設けた発光受光手段とを有することを特徴とする取付確認センサ。
【００１４】
（３）に記載の発明による取付確認センサは、光学的検出手段の鉤部に反射手段を設け、リング抜け止部には発光受光手段が設けられている。リング抜け止部が閉じられている場合には発光受光手段からの光が鉤部の反射手段により反射された光を発光受光手段により受光することにより確認することができる。鉤部とリング抜け止部との間に物が挟まっていると光が遮られる。光が遮られることにより、フックとリングの掛止が確実でないことが検出される。
【００１５】
ここで、発光受光手段には、コンパクトデイスクに使用されている光学ヘッドを使うことが望ましい。これ等は大量に生産されており、発光手段としてレーザー・ダイオードが受光手段としてホトトランジスタが一体で組み込まれているからである。
【００１６】
（４）（１）から（３）のいずれかに記載の取付確認センサであって、前記光学的検出手段は、前記Ｕ字部の両端が閉じたことを検出すると安全帯の使用者に報知する報知手段を備えることを特徴とする取付確認センサ。
【００１７】
（４）上記の（１）から（３）の取付確認センサの光学的検出手段により、Ｕ字部の両端が閉じたことを検出した場合は、報知手段により安全帯の使用者に報知する。例えば、報知手段は「フック確認」と音声により報知する。その結果、安全帯の使用者は安心して作業をすることができる。また、フックが外れることによる高所からの墜落を防止することができる。
【００１８】
ここで使用者等には、安全帯を使用している本人はもとより、その監督者、補助人も含まれる。また、報知手段には、音による報知のみならず、ＬＥＤなどの光による報知、電波を発して、監督者に報知することもできる。
【００１９】
（５）（１）から（４）のいずれかに記載の取付確認センサであって、前記取付確認センサを駆動する電源と前記リング抜け止部に連動する電源スイッチとを有し、前記電源スイッチは、安全帯の使用者が前記リング抜け止部を操作して前記Ｕ字部の一端を開放させる開操作をすると、投入され、前記開操作をしてから一定時間後に開放されることを特徴とする取付確認センサ。
【００２０】
（５）に記載の発明による取付確認センサを用いることにより、以下の効果を有する。
取付確認センサは、安全帯に使用されるため、通常、電源には電池を用いる。電池は電流を供給できる時間が限られている。本発明では、Ｕ字部の一端を開けると、電源スイッチが投入され、一定時間後例えば、３０秒後に電源スイッチが開放される。その結果、電池の電力消費が抑えられるので、取付確認センサを長時間使用することができる。
【００２１】
（６）人体の回りに巻装するベルトと、前記ベルトに掛止可能に配設されて柱を巻装可能な綱と、前記ベルトに装着されたリングと、前記綱の先端に装着された鉤部と、開閉可能なリング抜け止部と、で構成されたフックと、を有する安全帯に用いる取付確認センサであって、前記リングに電流を還流させる電流還流手段と、前記フックを掛止する際に前記電流が前記鉤部と前記リング抜け止部とにより閉鎖されたフックの内側に流れていることを検出する掛止検出手段と、を備える取付確認センサ。
【００２２】
（６）に記載の発明による取付確認センサを用いることにより、以下の作用・効果を有する。
（６）に記載の発明は、ベルトに装着されたリングに電流還流手段により電流を還流させ、そのリングを流れる電流を鉤部と前記リング抜け止部とにより閉鎖されたフックの内側にあることを、掛止検出手段が電磁誘導の法則に基づき検出する。掛止検出手段はＣＴクランプテスタと同様の原理に基づき実現できる。ちなみに、電柱等の作業の現場では色々な電流が流れており、それによる磁界も発生している。したがって、電流還流手段により電流を流す際に、特定の周波数の電流を流し、掛止検出手段では電磁誘導で現れた電圧がその周波数を検出したことで判定する方法が望ましい。
【００２３】
本発明により、リングがリング抜け止部とにより閉鎖されたフックの内側にあることが確認できるので、より安全な取付確認センサを提供する事ができる。
【００２４】
（７）人体の回りに巻装するベルトと、前記ベルトに掛止可能に配設されて柱を巻装可能な綱と、前記ベルトに装着されたリングと、前記綱の先端に装着された鉤部であって前記リングに引っ掛けられるＵ字部を有する鉤部と前記リングを前記Ｕ字部に掛止するために前記Ｕ字部の一端を開閉可能なリング抜け止部とで構成されたフックと、を有する安全帯であって、（１）から（６）のいずれかに記載の取付確認センサを備えることを特徴とする安全帯。
【００２５】
（７）に記載の発明によれば、上記で説明した取付確認センサを安全帯に備えることで、ベルトに柱を巻装可能な綱が確実に取付けられたことが確認できる。したがって、安全帯の使用者は転落などの危険を回避することができる。
【００２６】
（８）人体の回りに巻装するベルトと、前記ベルトに掛止可能に配設されて柱を巻装可能な綱と、前記ベルトに装着されたリングと、前記綱の先端に装着された鉤部であって前記リングに引っ掛けられるＵ字部を有する鉤部と前記リングを前記Ｕ字部に掛止するために前記Ｕ字部の一端を開閉可能なリング抜け止部とで構成されたフックと、を有する安全帯に用いる着脱可能な取付確認センサであって、前記リングに前記フックを掛止する際に前記鉤部と前記リング抜け止部との間に物が挟まっていないかを検出する光学的検出手段、を備えることを特徴とする着脱可能な取付確認センサ。
【００２７】
（８）に記載の発明は、上記（１）に記載の発明の取付確認センサを着脱可能としたものである。取付確認センサを着脱可能とすることにより従来より使用されている安全帯に追加して取り付けることが可能になる。追加して取り付けることにより、（１）で説明したのと同様な効果を期待することができる。
【００２８】
（９）（８）に記載の着脱可能な取付確認センサであって、光学的検出手段は前記鉤部に端部を有する第１の光ファイバと前記リング抜け止部に端部を有する第２の光ファイバとを有し、前記Ｕ字部が閉じられている場合は、前記第１の光ファイバと第２の光ファイバとの間で光の伝送が可能なように配置されたことを特徴とする着脱可能な取付確認センサ。
【００２９】
（９）に記載の発明は、上記（２）に記載の発明の取付確認センサを着脱可能としたものである。着脱可能とすることにより従来より使用されている安全帯に追加して取付確認センサを取り付けることが可能になる。追加して取り付けることにより、（２）で説明したのと同様な効果を期待することができる。なお、光ファイバを用いていており、光ファイバは比較的自由に形状を変え易いので、後から取り付けるのに適している。もっとも、プラスチックにより取り付け易いように一体にまとめておき既成の安全帯にはめ込むようにすることも可能である。
【００３０】
（１０）（９）に記載の着脱可能な取付確認センサであって、前記第１の光ファイバまたは第２の光ファイバには、少なくとも一箇所以上の前記第１の光ファイバまたは第２の光ファイバ外に光を漏らす光漏洩手段を有することを特徴とする着脱可能な取付確認センサ。
【００３１】
（１０）に記載の発明は、光ファイバより、光を漏らすことにより、安全帯の使用者が
例えば、暗い所でも何処に鉤部があるか、分かるのでより確実に取り付けをすることができる。ちなみに、発光塗料を例えばリング等に塗布するようにして組み合わせると、さらに確実にリングに掛止できるので、安全帯の使用者が転落したりするのを防止できる。
【発明の効果】
【００３２】
以上説明したように、電線工事等の高所作業においての危険を防止するために、フックとＤ環との掛止を人間の目のみならず、掛止していることを確実に確認することができる取付確認センサを提供することができる。
【発明を実施するための最良の形態】
【００３３】
以下、本発明を実施するための最良の形態について図を参照しながら説明する。なお、これはあくまでも一例であって、本発明の技術的範囲はこれに限られるものではない。
【００３４】
［第１の実施例］
図１は、本発明の取付確認センサの構成を示す図である。図２は、本発明の取付確認センサをつけた安全帯をつけて電柱での高所作業中の図である。図３は、本発明の取付確認センサをつけた安全帯をつけて電柱での高所作業中を横から見た図である。図４は、本発明の取付確認センサをつけた状態でリング抜け止部を開いた状態の図であり、図５は、本発明の取付確認センサをつけた状態でリング抜け止部を閉じた状態の図である。
【００３５】
第１の実施例では、取付確認センサ１は、光学的検出手段として第１の光ファイバ２０及び第２の光ファイバ２６を使用している。図１の例では、取付確認センサ１は、安全帯１００のフック１３０に内蔵されている。安全帯１００は、図２、図３、図４、図５に示すような人体の回りに巻装するベルト１１０と、ベルト１１０に掛止可能に配設されて電柱４００を巻装可能な綱１２０と、ベルト１１０に装着されたリング１１２と、綱１２０の先端に装着されリング１１２に引っ掛けられるフック１３０と、からなる。また、フック１３０は、鉤部１３２と、リング１１２を掛止するために開閉可能なリング抜け止部１３４と、フック補助開閉部１３５とで構成される。
【００３６】
取付確認センサ１は、電子機器部５、光ファイバ２０と、光結合器２２と、光結合器２４と、光ファイバ２６とを有する。電子機器部５は、発光部１０と、受光部３０と、制御部４０と、電源５０と、電源スイッチ５２と、増幅器６０と、スピーカ６２とで構成されている。
【００３７】
発光部１０は発光ダイオードを使用することにより実現可能である。発光する光は可視光レベルのものが望ましい。ただし、光ファイバ２０と、光結合器２２と、光結合器２４と、光ファイバ２６と、受光部３０との間で光の伝送ができるように整合性を取る必要がある。光ファイバ２０、光ファイバ２６は屈折率の高いコア部と、屈折率の低いクラッド部からなる光通信のために開発された線を用いることができる。これらには透明度の高いガラスで製作されたもの、プラスチックで製作したものがあるがいずれも使用することができる。
【００３８】
光結合器２２、光結合器２４は、光ファイバとして、例えば１２５μＭを用いる場合非常に細いので、本発明の取付確認センサ１では、鉤部１３２と、リング１１２を掛止してリング抜け止部１３４とを閉じた場合の位置合わせが難しい。そこで、端部に受光入射角を広くした光結合器２２、光結合器２４を使用することにより解決している。特開２０００−９１９９５号公報に紹介されている光ファイバの端部にすり鉢状凹部を形成する技術を用いて、本発明の取付確認センサ１に適合するように端部に受光入射角を広くすることができる。なお、鉤部とリング抜け止部の端部において、リング抜け止部が閉じられている場合は光をお互いに伝送可能なほどコア部の径が大きいものが入手できれば、光結合器２２、光結合器２４は必要がない。
【００３９】
受光部３０は、ホトトランジスタにより実現することができる。上記で説明したように発光部１０から、光ファイバ２０、光結合器２２及び、光結合器２４を通して光ファイバ２６に送られてきた光を検出できるように整合性を取りまたは調整することが望ましい。
【００４０】
制御部４０は、電子機器部５の個々の要素ならびに全体の制御をし、マイクロコンピュータと電子回路ならびに駆動用のソフトウエアを内蔵することにより実現することができる。
【００４１】
電源５０は、電子機器部５を駆動するための電源であり、電池、充電可能な電池、により実現することができる。電源スイッチ５２は、電源５０から電子機器部５への電圧の印加を開閉する。電源スイッチ５２は、開閉可能なリング抜け止部１３４と、フック補助開閉部１３５と連動しており、安全帯の使用者が開閉可能なリング抜け止部１３４を開けると、電源スイッチ５２が投入され、一定時間後、例えば３０秒後に電源スイッチ５２が開放されるように構成されている。なお、時間は安全帯の使用者が使用しやすいように変更することができる。
【００４２】
増幅器６０とスピーカ６２とは市販のオーデーオ機器に使用されているものと同様の公知の部品を流用することができる。上記の受光部３０で光を検出することにより、取付確認センサ１がフック１３０が閉じたことを検出すると安全帯の使用者に報知する。報知は例えば、「フック確認」と言う音声をスピーカ６２から発する。
【００４３】
以上のような構成をもった取付確認センサ１の使用法、動作について以下、図２、図３、図４、図５を参照して説明をする。
【００４４】
高所作業を行う場合、特に電気工事の場合、危険防止のため安全帯を使用する。安全帯を使用する場合は図２、図３に示すように、人体の回りにベルト１１０を巻装する。ベルト１１０にはリング１１２が装着されている。また、ベルト１１０には綱１２０及び綱１２２が掛止可能に配設されている。安全帯を使用者は電柱に綱１２０及び綱１２２を巻きつけて、綱１２０及び綱１２２の先端に装着されたフック１３０をリング１１２に引っ掛ることにより落下しないようにして、電柱を登ってゆく。
【００４５】
ところが、電柱４００には途中に通信線４２０などがあるため、綱１２２を巻いたままでは登ってゆくことができない。そこで、２本ある綱１２０及び綱１２２の１本の綱１２０のフック１３０をはずし、一方を通信線４２０の上の電柱４００に巻きつけ、巻きつけた後フック１３０をリング１１２に止め、他方の綱１２２のフック１３０をはずして、通信線４２０の上の電柱４００に巻きつけ、巻きつけた後フック１３０をリング１１４に止めている。このように、安全帯を使用者は頻繁にU字部を有するフック１３０を取り外しする作業が行われる。
【００４６】
フック１３０の取り外しは、図３、図４、図５、図６に示すように開閉可能なリング抜け止部１３４と、フック補助開閉部１３５を同時に握ることによりフック１３０が開放され、Ｄ環とよばれるリング１１２に鉤部１３２を引っ掛けることができる。また、リング抜け止部１３４と、フック補助開閉部１３５に連動している電源スイッチ５２が閉じられて内蔵されている取付確認センサ１の電源が投入される。リング抜け止部１３４と、フック補助開閉部１３５の握りを離すと図５に示すように、フック１３０は閉じられる。
【００４７】
ここで、鉤部１３２とリング抜け止部１３４との間に衣服等の物が挟まっていない場合は、内蔵されている取付確認センサ１の発光部１０から発した光が光ファイバ２０、光結合器２２、光結合器２４、光ファイバ２６、を介して受光部３０に伝送される。受光部３０で受光すると、制御部４０から信号が送られ増幅器６０とスピーカ６２により、「フック確認」等の注意喚起の音声が発生される。なお、報知手段は音声で行うのが望ましいが、緑のＬＥＤなどを点灯することでもよいし、無線を発して監督者に伝える方法を取ることもできる。このように報知手段によりフック１３０がリング１１２に掛止されたことが確認されると作業者は安心して次の作業を行うことができる。
【００４８】
一方、鉤部１３２にリング１１２が掛止されない場合、または鉤部１３２とリング抜け止部１３４との間に衣服等の物が挟まっている場合は、取付確認センサ１の発光部１０から発した光が光ファイバ２０、光結合器２２から光結合器２４に伝わらず、つまり、光が作業者の衣服などでさえぎられるので受光部３０にまで光が届かない。その場合、作業者が期待していた「フック確認」等の注意喚起の音声が発生されないので、作業者は正しくフック１３０がリング１１２に掛止されてないことを知る。そこで、「フック確認」等の注意喚起の音声を聞くまで再度フックを掛けなおすことができる。
【００４９】
以上のように、電線工事等の高所作業においての危険を防止するために、フックとＤ環とが掛止していることを光ファイバを使った取付確認センサにより確実に確認することができる。つまり、作業者の確認不足によりフック先端部に、作業者自身が被覆している衣服を挟む等して、フックの取り付けが不完全であるのに、フックが掛止していると誤認するような場合も光ファイバを使った取付確認センサにより、光が遮られることにより検出され報知されるので、作業者が高所から落下して致死傷に至る事故を防ぐことができる。
【００５０】
［第２の実施例］
第２の実施例は光学的検出手段としてコンパクトデイスクに使用されている光学ヘッドの技術を適用することを特徴とする。図６に、本発明のコンパクトデイスクに使用されている光学ヘッドの技術を適用した実施例を示す。
【００５１】
図６に示すように、本発明の取付確認センサ１´の光学的検出手段は鉤部１３２に設けられた反射手段８０と、リング抜け止部１３４に設けた発光受光手段７０とで構成される。
【００５２】
発光受光手段７０は発光部１４にレーザー・ダイオードを用い、対物レンズ７２、裏面からの光は通し表面からの光は反射するビーム・スプリッタ９０、受光部３４にホトトランジスタと制御部４２、４４を有する。その他、第１の実施例と同様に電源５０と、電源スイッチ５２と、増幅器６０と、スピーカ６２とが備えられている。
【００５３】
次に動作について説明する。リング抜け止部１３４が閉じられている場合には発光受光手段７０からの光が鉤部１３２の反射手段８０により反射された光を発光受光手段７０により受光することにより確認することができる。すなわち、発光部１４であるレーザー・ダイオードから発したレーザ光は、対物レンズ７２により適切に絞られて間に衣服などの光を遮るものがなければ反射手段８０に照射される。照射されたレーザ光は反射手段８０に反射されて発光受光手段７０に返される。返されたレーザ光は裏面からの光は通し表面からの光は反射するビーム・スプリッタ９０により方向を変えられ、受光部３４であるホトトランジスタに到達する。
【００５４】
受光部３４であるホトトランジスタに到達すると、第１の実施例と同様に制御部４４から信号が送られ増幅器６０とスピーカ６２により、「フック確認」等の注意喚起の音声が発生される。なお、報知手段は音声で行うのが望ましいが、緑のＬＥＤなどを点灯することでもよいし、無線を発して監督者に伝える方法を取ることもできる。このように報知手段によりフック１３０がリング１１２に掛止されたことが確認されると作業者は安心して次の作業を行うことができる。
【００５５】
一方、鉤部１３２とリング抜け止部１３４との間に物が挟まっているとレーザ光が遮られる。レーザ光が遮られることにより、鉤部１３２とリング抜け止部１３４の掛止が確実でないことが検出される。
【００５６】
その他の動作は第１の実施例と同様であるので省略する。コンパクトデイスクの技術を使った部品を流用することにより電子機器部５′をコンパクトにまとめられる。また、主要な部品をリング抜け止部１３４に収め、鉤部１３２には反射手段８０のみをつければよいので改造し易いという利点がある。その他の効果は第１の実施例と同様であるので省略する。
【００５７】
［第３の実施例］
第３の実施例は安全帯のフックに着脱可能な取付確認センサ２であることを特徴とする。着脱可能とすることにより従来より使用されている安全帯のフックに追加して取り付けることが可能になる。追加して取り付けることにより、第１の実施例で説明したのと同様な効果を期待することができる。
【００５８】
図７は、本発明の着脱可能な取付確認センサ２のフックへの取付状態を示す図である。図７に示すように取付確認センサ２は取付手段２００、取付手段２０２、取付手段２０４によりフック１３０に取り付けられている。取付手段は金具などによりフック１３０に付けることができるが、プラスチックなどで一体に成型したケースによってもよい。取付確認センサ２の構成は第１の実施例で説明したのと同様な構成であるが、外部に取り付け可能としたことと、光ファイバ２０、２６には、少なくとも一箇所以上の光ファイバ外に光を漏らす光漏洩手段２１を有する点が異なる。光ファイバは比較的自由に形状を変え易いので、後から取り付けるのに適している。
【００５９】
取付確認センサ２の使用法は第１の実施例で説明したのと同様である。一方効果については、一箇所以上の光ファイバ外に光を漏らす光漏洩手段２１を有するので、電気工事については、停電が許されないので夜間とか雨の中でも行わなければならないが、光漏洩手段２１により漏れた光によりフック１３０の輪郭を知ることができるので取付け作業がやり易い利点がある。
【００６０】
さらに発光塗料を例えばリング１１２等に塗布するようにして組み合わせると、さらに確実にリング１１２に掛止できるので、安全帯の使用者が転落したりするのを防止できる。また、鉤部１３２とリング抜け止部１３４との間に物が挟まっている場合も漏れた光により確認し易い。ちなみに、ライトをフック１３０の一部に着けることはもちろん可能である。
【００６１】
［第４の実施例］
第４の実施例は、ベルトに装着されたリングに電流還流手段により電流を還流させ、そのリングを流れる電流を鉤部と前記リング抜け止部とにより閉鎖された胴綱フックの内側にあることを、掛止検出手段が電磁誘導の法則に基づき検出する実施例である。
【００６２】
図８は、リングに電流を流す図であり、図９は、本発明のリングに流した電流により検出する取付確認センサ３の使用状態を示す図である。電磁誘導の法則に基づいて検出するので、リング１１４、フックの部分にはそれに対応するように以下の変更をする必要がある。
【００６３】
図８に示すように、リング１１４は導電部１１５と、絶縁体部である１１６と、電池１１９と、リング１１４に電流を還流させる電流還流手段１１８とを有する。電流は特定の周波数の電流を流すことが望ましい。電柱等の作業の現場では色々な電流が流れており、それによる磁界も発生しているからである。
【００６４】
図９に示すように、鉤部１３２とリング抜け止部１３４には取付確認センサ３が内蔵されている。電磁誘導の法則に基づいてリングに流れる電流を検出するので鉤部１３２とリング抜け止部１３４は電磁界を通す強度の強い強化プラスチックとかグラスファイバーなどを使うのが望ましい。
取付確認センサ３は掛止検出手段３００と、可動ＣＴクランプ部３０２と、固定ＣＴクランプ部３０４とからなる。
【００６５】
このような取付確認センサ３で、ベルト１１０に装着されたリング１１４に電流還流手段１１８により電流を還流させ、そのリング１１４を流れる電流を鉤部１３２とリング抜け止部１３４とにより閉鎖されたフックの内側にあることを、掛止検出手段３００が電磁誘導の法則に基づいてリングに流れる電流を検出する。掛止検出手段３００はＣＴクランプテスタと同様の原理に基づき実現できる。すなわち、可動ＣＴクランプ部３０２と、固定ＣＴクランプ部３０４とが閉じられることにより、磁気回路が構成されてリング１１４を流れる電流を検出する。検出は鉤部１３２とリング抜け止部１３４とにより閉鎖されたフックの内側にあることにより検出されるので、間違えてリング１１４以外のものを掛止するなどの問題をなくすることができる。
【００６６】
また、検出後は第１の実施例で説明した、報知手段を備えることにより作業者に報知する事ができる。本発明により、リングがリング抜け止部とにより閉鎖された胴綱フックの内側にあることが確認できるので、より安全な取付確認センサを提供する事ができる。
【００６７】
以上、本発明の実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。例えば、取付確認センサで説明したが、これを安全帯に取付けた状態であってもよい。
【図面の簡単な説明】
【００６８】
【図１】本発明の取付確認センサの構成を示す図である。
【図２】本発明の取付確認センサをつけた安全帯をつけて電柱での高所作業中の図である。
【図３】本発明の取付確認センサをつけた安全帯をつけて電柱での高所作業中を横から見た図である。
【図４】本発明の取付確認センサをつけた状態でリング抜け止部を開いた状態の図である。
【図５】本発明の取付確認センサをつけた状態でリング抜け止部を閉じた状態の図である。
【図６】本発明のコンパクトデイスクに使用されている光学ヘッドの技術を適用した実施例を示す。
【図７】本発明の着脱可能な取付確認センサ２のフックへの取付状態を示す図である。
【図８】本発明のリングに電流を流す図である。
【図９】本発明のリングに流した電流により検出する取付確認センサ３の使用状態を示す図である。
【符号の説明】
【００６９】
１  取付確認センサ
５  電子機器部
１０  発光部
２０  第1の光ファイバ
２１  光漏洩手段
２２  光結合器
２４  光結合器
２６  第２の光ファイバ
３０  受光部
４０  制御部
５０  電源
５２  電源スイッチ
６０  増幅器
６２  スピーカ
７０  発光受光手段
８０  反射手段
９０  ビーム・スプリッタ
１００  安全帯
１１０  ベルト
１１２  リング
１１８  電流還流手段
１３０  フック
１３２  鉤部
１３４  リング抜け止部
１３５  フック補助開閉部
３００  掛止検出手段
３０２  可動ＣＴクランプ部
３０４  固定ＣＴクランプ部
４００  柱（電柱）
４２０  通信線
【図１】
2007044166.tif 000003
【図２】
2007044166.tif 000004
【図３】
2007044166.tif 000005
【図４】
2007044166.tif 000006
【図５】
2007044166.tif 000007
【図６】
2007044166.tif 000008
【図７】
2007044166.tif 000009
【図８】
2007044166.tif 000010
【図９】
2007044166.tif 000011